【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
画像データに応じてインクを吐出する複数の記録素子を備えた記録ヘッドを、記録媒体の同一画像領域に対しＮ（Ｎは１以上の整数）回の記録走査を行うことによって画像を形成するインクジェット記録装置において、
前記記録媒体の光沢度に関連する情報に応じて前記Ｎの値を設定する設定手段を具備することを特徴とするインクジェット記録装置。
【請求項２】
互いに補完の関係にある複数のマスクパターンの組み合わせを、複数種類格納する手段と、
前記記録媒体の光沢度に関連する情報に対応して前記複数種類の組み合わせの中から１つのマスクパターンの組み合わせを選択する選択手段と、を更に具備し、
前記Ｎ回の記録走査のそれぞれでは、前記選択手段によって選択された複数のマスクパターンに従って、前記画像データが間引かれて記録されることを特徴とする請求項１に記載のインクジェット記録装置。
【請求項３】
前記インクは、色材として顔料を含有することを特徴とする請求項１または２に記載のインクジェット記録装置。
【請求項４】
前記記録媒体の非記録部の光沢度を測定する測定手段を更に具備し、
前記設定手段および前記選択手段は、前記測定手段による出力された光沢度に関連する情報に応じて前記Ｎの値および前記マスクパターンの組み合わせを設定することを特徴とする請求項１乃至３のいずれかに記載のインクジェット記録装置。
【請求項５】
第１の記録媒体と該第１の記録媒体の光沢度よりも高い光沢度を有する第２の記録媒体とを含む複数種類の記録媒体の中から、記録に使用される記録媒体の種類を示す情報を取得する取得手段を更に有し、
前記記録媒体の光沢度に関連する情報は、前記取得手段により取得される情報であり、
前記設定手段は、前記取得手段が前記第２の記録媒体を示す情報を取得した場合、前記第１の記録媒体を示す情報を取得した場合に比べ、前記Ｎを小さい値に設定することを特徴とする請求項１に記載のインクジェット記録装置。
【請求項６】
画像データに応じてインクを吐出する複数の記録素子を備えた記録ヘッドを、記録媒体の同一画像領域に対しＮ（Ｎは１以上の整数）回の記録走査を行うことによって画像を形成するインクジェット記録装置において、
第１の記録媒体と該第１の記録媒体の光沢度よりも高い光沢度を有する第２の記録媒体とを含む複数種類の記録媒体の中から、記録に使用される記録媒体の種類を示す情報を取得する取得手段と、
前記取得手段により取得された情報に基づいて前記Ｎの値を設定する設定手段とを具備し、
前記設定手段は、前記取得手段が前記第２の記録媒体を示す情報を取得した場合、前記第１の記録媒体を示す情報を取得した場合に比べ、前記Ｎを小さい値に設定することを特徴とするインクジェット記録装置。
【請求項７】
画像データに応じてインクを吐出する複数の記録素子を備えた記録ヘッドを、記録媒体の同一画像領域に対し複数回の記録走査を行うことによって画像を形成するインクジェット記録装置において、
第１の記録媒体と該第１の記録媒体の光沢度よりも高い光沢度を有する第２の記録媒体とを含む複数種類の記録媒体の中から、記録に使用される記録媒体の種類を示す情報を取得する取得手段と、
前記複数回の記録走査それぞれで使用されるマスクパターンの組合せとして、同じ走査で隣接して記録されるインクドットの割合が相対的に多い第１のマスクパターンの組合せと同じ走査で隣接して記録されるインクドットの割合が相対的に少ない第２のマスクパターンの組合せとを含む複数種類のマスクパターンの組合せを格納した格納部と、
前記取得手段により取得された情報に基づいて、前記格納部に格納される複数種類の異なるマスクパターンの組合せの中から１種類のマスクパターンの組合せを選択する選択手段とを具備し、
前記選択手段は、前記取得手段が前記第１の記録媒体を示す情報を取得した場合、前記第２のマスクパターンの組合せを選択し、前記取得手段が前記第２の記録媒体を示す情報を取得した場合、前記第１のマスクパターンの組合せを選択することを特徴とするインクジェット記録装置。
【請求項８】
画像データに応じてインクを吐出する複数の記録素子を備えた記録ヘッドを、記録媒体の同一画像領域に対しＮ回の記録走査を行うことによって画像を形成するインクジェット記録方法において、
前記記録媒体の光沢度に応じて前記Ｎの値が設定されることを特徴とするインクジェット記録方法。
【請求項９】
前記Ｎ回の記録走査のそれぞれでは、互いに補完の関係にある複数のマスクパターンによって前記画像データが間引かれて記録され、前記複数のマスクパターンの組み合わせが、前記記録媒体の光沢度に対応して複数用意されていることを特徴とする請求項８に記載のインクジェット記録方法。
【手続補正２】
【補正対象書類名】明細書
【補正対象項目名】００２０
【補正方法】変更
【補正の内容】
【００２０】
そのために本発明においては、画像データに応じてインクを吐出する複数の記録素子を備えた記録ヘッドを、記録媒体の同一画像領域に対しＮ（Ｎは１以上の整数）回の記録走査を行うことによって画像を形成するインクジェット記録装置において、前記記録媒体の光沢度に関連する情報に応じて前記Ｎの値を設定する設定手段を具備することを特徴とする。
【手続補正３】
【補正対象書類名】明細書
【補正対象項目名】００２１
【補正方法】変更
【補正の内容】
【００２１】
また、画像データに応じてインクを吐出する複数の記録素子を備えた記録ヘッドを、記録媒体の同一画像領域に対しＮ（Ｎは１以上の整数）回の記録走査を行うことによって画像を形成するインクジェット記録装置において、第１の記録媒体と該第１の記録媒体の光沢度よりも高い光沢度を有する第２の記録媒体とを含む複数種類の記録媒体の中から、記録に使用される記録媒体の種類を示す情報を取得する取得手段と、前記取得手段により取得された情報に基づいて前記Ｎの値を設定する設定手段とを具備し、前記設定手段は、前記取得手段が前記第２の記録媒体を示す情報を取得した場合、前記第１の記録媒体を示す情報を取得した場合に比べ、前記Ｎを小さい値に設定することを特徴とする。
【手続補正４】
【補正対象書類名】明細書
【補正対象項目名】００２２
【補正方法】変更
【補正の内容】
【００２２】
更に、画像データに応じてインクを吐出する複数の記録素子を備えた記録ヘッドを、記録媒体の同一画像領域に対し複数回の記録走査を行うことによって画像を形成するインクジェット記録装置において、第１の記録媒体と該第１の記録媒体の光沢度よりも高い光沢度を有する第２の記録媒体とを含む複数種類の記録媒体の中から、記録に使用される記録媒体の種類を示す情報を取得する取得手段と、前記複数回の記録走査それぞれで使用されるマスクパターンの組合せとして、同じ走査で隣接して記録されるインクドットの割合が相対的に多い第１のマスクパターンの組合せと同じ走査で隣接して記録されるインクドットの割合が相対的に少ない第２のマスクパターンの組合せとを含む複数種類のマスクパターンの組合せを格納した格納部と、前記取得手段により取得された情報に基づいて、前記格納部に格納される複数種類の異なるマスクパターンの組合せの中から１種類のマスクパターンの組合せを選択する選択手段とを具備し、前記選択手段は、前記取得手段が前記第１の記録媒体を示す情報を取得した場合、前記第２のマスクパターンの組合せを選択し、前記取得手段が前記第２の記録媒体を示す情報を取得した場合、前記第１のマスクパターンの組合せを選択することを特徴とする。
【手続補正５】
【補正対象書類名】明細書
【補正対象項目名】００２３
【補正方法】変更
【補正の内容】
【００２３】
更にまた、画像データに応じてインクを吐出する複数の記録素子を備えた記録ヘッドを、記録媒体の同一画像領域に対しＮ回の記録走査を行うことによって画像を形成するインクジェット記録方法において、前記記録媒体の光沢度に応じて前記Ｎの値が設定されることを特徴とする。